(57)【要約】    【課題】  マンションを購入してから当該マンションに入居にいたるまでの期間に、物件契約者に対して情報を提供する。    【解決手段】  マンションが建設されている期間に工事状況について撮影した撮影画像及び当該撮影画像が撮影されたマンションの該当箇所に関する撮影状況とが入力され、当該撮影情報に基づいて当該撮影画像が撮影された住居に対応する契約者専用ホームページに、当該撮影画像がリンクされるように処理し、当該ホームページをインターネット４を介して配信するサービス提供会社２側のサーバ３と、当該サーバ３からインターネット４を介して当該ホームページを受信して表示する契約者側の端末装置１とを備える。【選択図】    図１
2005100257.tif 000002
【特許請求の範囲】
【請求項１】
集合住宅の物件を購入する契約をした契約者に向けて、当該物件の契約後から入居まで当該物件に関する物件情報を提供するための集合住宅における情報提供システムであって、当該物件情報が表示される表示情報が記憶され、当該表示情報を通信手段を介して配信可能な情報提供者側のサーバと、前記サーバから通信手段を介して前記表示情報を受信可能であって、受信した当該表示情報を表示する契約者側の端末装置と、を有し、前記情報提供者側のサーバは、前記契約者側の端末装置を認証によって識別し、認証が適正である場合に前記表示情報を前記契約者側の端末に配信することを特徴とする集合住宅における情報提供システム。
【請求項２】
前記物件情報には、各種申し込みフォームの掲載、入居後必要な商品の案内、入居に係わる案内、入居に係わる各種公的機関への申請書類の提出方法、入居までのスケジュール及び問い合わせ、紹介案内、各種アンケート、契約者専用掲示板、メールサービスに関する情報のうち少なくともいずれか一つが含まれることを特徴とする請求項１に記載の集合住宅における情報提供システム。
【請求項３】
集合住宅の物件を購入する契約をした契約者に向けて、当該物件の契約後から入居まで少なくとも当該集合住宅の建設状況を含む物件情報を提供するための集合住宅における情報提供システムであって、当該集合住宅が建設されている期間に工事状況について撮影した撮影画像及び当該撮影画像が撮影された当該集合住宅の該当箇所に関する撮影情報が入力される入力手段と、当該撮影画像及び当該撮影情報が関連づけて記憶されるとともに、集合住宅の共用部を模して作成される第一の表示情報及び集合住宅の各住居を模して当該住居専用に作成される複数の第二の表示情報が記憶される記憶手段と、当該撮影情報に基づいて当該撮影画像が撮影された住居に対応する第二の表示情報に、当該撮影画像がリンクされるように処理する処理手段とを有し、当該記憶手段に記憶された第一及び第二の表示情報を通信手段を介して配信可能な情報提供者側のサーバと、前記サーバから通信手段を介して第一及び第二の表示情報を受信可能であって、受信した第一及び第二の表示情報を表示する表示手段を有する契約者側の端末装置と、を有することを特徴とする集合住宅における情報提供システム。
【請求項４】
前記契約者側の端末装置が前記第一の表示情報を受信するときに認証が必要であり、前記契約者側の端末装置が前記第二の表示情報を受信するときにさらに認証が必要であることを特徴とする請求項３に記載の集合住宅における情報提供システム。
【請求項５】
前記撮影画像には集合住宅の工事完了後では見えない場所の画像が含まれることを特徴とする請求項３又は４に記載の集合住宅における情報提供システム。
【請求項６】
前記記憶手段には集合住宅の物件に据え付けられた家電製品の説明書及び保証書の画像が記憶され、当該画像が前記通信手段を介して端末装置に配信可能であることを特徴とする請求項３、４、５のいずれかに記載の集合住宅における情報提供システム。
【発明の詳細な説明】
【技術分野】
【０００１】
本発明は、集合住宅における情報提供システムに関し、詳しくは集合住宅の物件が購入契約されてから入居にいたるまで契約者にむけて物件に関する情報を提供するシステムに関する。
【背景技術】
【０００２】
マンションなどの集合住宅物件を購入する契約をしようとする人に向けて、契約するか否かを決めるときに参考となるように、物件の間取りや値段などの物件情報が提供される。このような物件情報の提供方法としては、モデルルームでの説明会や新聞広告などの紙媒体のほか、ネットワーク技術を用いたインターネット上のホームページがある。このような物件情報提供用のホームページは、例えば、物件販売会社に設置されたサーバに記憶され、このサーバからインターネットを介して配信され、不特定人が閲覧できるようになっている（例えば特許文献１参照）。
【０００３】
また、マンションの居住者に向けては、サービスの一つとして、居住者のみに向けてマンション用のホームページが配信される。このようなホームページのなかには、マンションの管理情報や、マンション近隣の地域情報などを提供するものがある（例えば特許文献２参照）。
【特許文献１】特開２００２−１３２８９２号公報
【特許文献２】特開２００２−１５７１８８号公報
【発明の開示】
【発明が解決しようとする課題】
【０００４】
しかしながら、マンション向けのホームページは今まで上記した二つの形態に分かれ、物件の購入契約後から入居までの期間には専用のホームページがなかった。一般的に、物件の販売は当該マンションが建設されている間から行われるため、契約者が物件を契約したときから入居するまである程度の期間を要する。そのため、契約者にとっては、契約後から入居までの間の契約物件の工事進行状況、例えば完成した自分の部屋や、自分の部屋の完成してからでは見えない場所（例えば配管など）、販売会社・管理会社などからの連絡事項などの情報を伝達する手段としてホームページを利用できず、得られる情報が限られていた。
【０００５】
そこで、本発明の目的としては、マンションの物件契約者に対して、契約後から入居するまでの間に当該物件に関する情報や生活情報、共用部と専用部の工事進行状況などを配信し、契約者に入居までのサービスを提供することである。
【課題を解決するための手段】
【０００６】
本発明の第一の構成は、集合住宅の物件を購入する契約をした契約者に向けて、当該物件の契約後から入居まで当該物件に関する物件情報を提供するための集合住宅における情報提供システムであって、当該物件情報が表示される表示情報が記憶され、当該表示情報を通信手段を介して配信可能な情報提供者側のサーバと、前記サーバから通信手段を介して前記表示情報を受信可能であって、受信した当該表示情報を表示する契約者側の端末装置と、を有し、前記情報提供者側のサーバは、前記契約者側の端末装置を認証によって識別し、認証が適正である場合に前記表示情報を前記契約者側の端末に配信することを特徴とする集合住宅における情報提供システムである。
【０００７】
本発明の第二の構成は、上記第一の構成において、前記物件情報には、各種申し込みフォームの掲載、入居後必要な商品の案内、入居に係わる案内、入居に係わる各種公的機関への申請書類の提出方法、入居までのスケジュール及び問い合わせ、紹介案内、各種アンケート、契約者専用掲示板、メールサービスに関する情報のうち少なくともいずれか一つが含まれることを特徴とする集合住宅における情報提供システムである。
【０００８】
本発明の第三の構成は、集合住宅の物件を購入する契約をした契約者に向けて、当該物件の契約後から入居まで少なくとも当該集合住宅の建設状況を含む物件情報を提供するための集合住宅における情報提供システムであって、当該集合住宅が建設されている期間に工事状況について撮影した撮影画像及び当該撮影画像が撮影された当該集合住宅の該当箇所に関する撮影情報が入力される入力手段と、当該撮影画像及び当該撮影情報が関連づけて記憶されるとともに、集合住宅の共用部を模して作成される第一の表示情報及び集合住宅の各住居を模して当該住居専用に作成される複数の第二の表示情報が記憶される記憶手段と、当該撮影情報に基づいて当該撮影画像が撮影された住居に対応する第二の表示情報に、当該撮影画像がリンクされるように処理する処理手段とを有し、当該記憶手段に記憶された第一及び第二の表示情報を通信手段を介して配信可能な情報提供者側のサーバと、前記サーバから通信手段を介して第一及び第二の表示情報を受信可能であって、受信した第一及び第二の表示情報を表示する表示手段を有する契約者側の端末装置と、を有することを特徴とする集合住宅における情報提供システムである。
【０００９】
本発明の第四の構成は、上記第三の構成のおいて、前記契約者側の端末装置が前記第一の表示情報を受信するときに認証が必要であり、前記契約者側の端末装置が前記第二の表示情報を受信するときにさらに認証が必要であることを特徴とする集合住宅における情報提供システムである。
【００１０】
本発明の第五の構成は、上記第三又は第四の構成において、前記撮影画像には集合住宅の工事完了後では見えない場所の画像が含まれることを特徴とする集合住宅における情報提供システムである。
【００１１】
本発明の第六の構成は、上記第三、第四、第五のいずれかの構成において、前記記憶手段には集合住宅の物件に据え付けられた家電製品の説明書及び保証書の画像が記憶され、当該画像が前記通信手段を介して端末装置に配信可能であることを特徴とする集合住宅における情報提供システムである。
【発明の効果】
【００１２】
本願の請求項１及び２に係る発明によれば、集合住宅の物件契約者が、契約後から入居までの当該物件に関する情報を、情報提供者側のサーバ装置にアクセスするだけで、容易にさまざまな分野にわたって一括して閲覧することができるようになる。
【００１３】
本願の請求項３から６に係る発明によれば、集合住宅の物件契約者が、契約後から入居までの当該物件に関する情報を得ることができ、入居までの準備をスムーズに行うことができるようになるとともに、当該物件の工事進行状況を、実際の工事現場に行くことや、工事担当者へ聞くことなどせずに、確認することができるようになる。
【００１４】
本願の請求項５に係る発明によれば、完成してからでは見ることができない場所、例えば配管や、壁の中、断熱材の配置などを確認することができるため、入居した際の家具などの配置決めの参考になるとともに、物件の工事が適正に行われているかについて判断することができる。
【００１５】
本願の請求項６に係る発明によれば、家電の説明書及び保証書の画像がサーバに保管され端末装置から確認できるため、たとえ実在の説明書や保証書を紛失した場合でもこの画像を用いることができる。
【発明を実施するための最良の形態】
【００１６】
以下、本発明に係る実施の形態について図面を参照して説明する。なお、本実施の形態における例示が本発明を限定することはない。
【００１７】
（第１の実施の形態）
以下、本発明に係る第１の実施の形態について図１から図３を参照して説明する。
【００１８】
図２は、本第１の実施の形態の一運用例を示す図である。
【００１９】
図２に示すように、集合住宅としてのマンションは、建設されている最中から各住居の物件の販売が行われる。このとき、物件を購入しようとしている者は、物件販売会社が提供する物件情報用ホームページから物件情報を閲覧することができる。この物件情報用ホームページは、物件販売会社に設置されたサーバなどから、インターネットを介して配信され、不特定人に閲覧されうる。この物件情報用ホームページには、物件の間取りや立地条件、価格など、物件を購入する際に参考となる情報が掲載される。
【００２０】
また、物件の購入について契約がされたのち、当該マンションに入居した際には、マンション管理会社や、この管理会社から業務を委託されたサービス提供会社などのサービスの一つとして、マンションに特化した情報をマンションに限定して配信するための管理・地域情報提供用ホームページが用意されることがある。この管理・地域情報提供用ホームページには、マンション管理会社からのお知らせや、地域の小売店からのお買い得情報などが掲載される。
【００２１】
本第１の実施の形態は、マンションの物件について購入の契約をした契約者が、契約後から入居にいたるまでの間に必要とされる情報として契約後入居前用ホームページを提供するものである。
【００２２】
図１は、本発明に係る集合住宅の管理システムの実施の形態を示すシステム全体の概略構成を示す図である。
【００２３】
図１において、１はマンションの物件について購入契約をした契約者が所有するパーソナルコンピュータ（パソコン）や携帯電話などの端末装置、２は契約者向け情報を提供する情報提供者としてのサービス提供会社、３はこのサービス提供会社に設置されたサーバ、４は通信手段としてのインターネットである。そして、サーバ３には契約後入居前用ホームページ（表示情報）が記憶され、このホームページがインターネット４を介して、契約者の端末装置１に向けて配信される。
【００２４】
また、端末装置１がサーバ３にアクセスするためには、ユーザＩＤとパスワードの組み合わせなどの認証が必要である。契約者以外の端末装置からのアクセスなど認証が適正に行われない場合はホームページを閲覧することができない。よって、契約者に向けて特化した情報を配信することができる。
【００２５】
図３は、上記した契約後入居前ホームページの一例を示す図である。
【００２６】
図３に示すフロントページは端末装置１がサーバ３にアクセスすると最初に表示される画面である。このフロントページには、契約者に向けて提供される各種情報が見出しに分かれて表示され、この見出しを選択することでそれぞれの詳細な情報が表示される。
【００２７】
フロントページにおいて「各種申し込みフォーム記載」部分は、入居の前から申し込みが可能なサービスについて事前に申し込みを行うためのページにリンクされる。このページには、例えば、ガス、水道、電気、新聞、電話、生協、託児所などの申し込みフォームが掲載される。
【００２８】
また「入居後必要な商品の案内」部分は、入居後に必要となる商品、例えば家具、家電、カーテンなどの生活雑貨について案内されているページにリンクされる。商品の案内とともにこれらの商品の購入方法などの案内について掲載してもよい。
【００２９】
また「入居に関わる案内」部分は、入居の際に必要となるサービスや情報、例えば引越し業者、リサイクル業者、火災保険、転居のお知らせなどについて案内されているページにリンクされる。
【００３０】
また「入居に関わる各種公的機関への申請書類の提出方法」部分は、入居した際に各種公的機関、例えば税務関係、法務関係、学校関係などに申請書類を提出する方法について説明されているページにリンクされる。
【００３１】
また「入居までのスケジュール及び問い合わせ」部分は、内覧会、入居説明、その他の入居まで契約者が参加する行事などについて説明されるページにリンクされる。
【００３２】
また「紹介案内」部分は、スタッフ、清掃員、管理人、マンション購入希望者などについて紹介されているページにリンクされる。
【００３３】
また「各種アンケート」部分は、契約者に向けて入居前に実施されるアンケート、及びその結果について案内されているページにリンクされる。
【００３４】
また「契約者専用掲示板」部分は、契約者同士のコミュニケーションを行える場所を提供するために、契約者のみが電子掲示板を使用できるページにリンクされる。
【００３５】
また「メールサービス」部分は、スケジュール内容の更新や、物販のお得な情報などを電子メールによって提供するために、この電子メールサービスの申し込みや案内について説明されているページにリンクされる。
【００３６】
このような第１の実施の形態によれば、物件の購入契約後から入居までのマンションに関する情報が、契約後入居前用ホームページにアクセスするだけで、容易にさまざまな情報を一括して閲覧することができるようになる。
【００３７】
（第２の実施の形態）
以下、本発明に係る第２の実施の形態について図４から図９を参照して説明する。なお、上記した第１の実施の形態と同様の構成については説明を省略する。
【００３８】
図４は、本第２の実施の形態のサーバ３の構成を説明するための図である。
【００３９】
図４に示す３は、サービス提供会社２に設置されインターネット４を介して契約者の所有する端末装置１に契約後入居前用ホームページを配信するためのサーバである。契約者は端末装置１を用いて認証をへてサーバ３にアクセスし契約後入居前用ホームページを閲覧することができる。また、サーバ３に記憶された契約後入居前用ホームページには、マンション専用ホームページ５、各契約者専用ホームページ５−１から５−ｎが含まれている。
【００４０】
マンション専用ホームページ５と、各契約者専用ホームページ５−１から５−ｎとは、図５に示すように、それぞれ、共用スペースを模して表示されるエントランスページ（第一の表所情報）Ｐ１と、個別スペースを模して表示される各部屋ページ（第二の表示情報）Ｐ２とに対応する。外部からエントランスページＰ１へのアクセスには認証を要し、また各部屋ページＰ２からエントランスページＰ１へのアクセスにもさらに認証を要する。
【００４１】
前記エントランスページＰ１には、「管理会社からのお知らせ」、「販売会社からのお知らせ」、「各種サービス」、「各部屋ページ」が見出しとして表示され、これらの見出しを選択することでそれぞれの情報を閲覧し利用することができる。
【００４２】
「管理会社からのお知らせ」、「販売会社からのお知らせ」、及び「各種サービス」には、上記した第１の実施の形態で説明したフロントページに相当する情報がそれぞれの見出しに分かれて表示される。
【００４３】
また、「各部屋ページ」は、契約者ごとに用意された契約者専用ページである各部屋ページ２にリンクされる。この各部屋ページＰ２は、エントランスページＰ１からさらに認証をへてアクセスされるページであり、契約者専用のページであり特定の契約者以外は閲覧することができない。
【００４４】
また、各部屋ページＰ２には詳細な情報を提供するためのページにリンクされた見出しが表示される。このページとしては、例えば、マンションの工事状況を表示する「工事進行状況」、マンション近隣の地域情報や生活情報を表示する「地域情報・生活情報」、物品の販売をネットワークを介して行える「ネットショップ」、有料の動画コンテンツへの案内を表示する「動画コンテンツ」、契約後入居前に有効なサイトへのリンクを案内する「リンク集」、各種申請書類や家電製品の取扱い説明書が電子化されて保管される「電子保管機能」、ネットワークを介して税務相談など外部との連絡を行う「外部との連絡機能」、管理会社や販売会社からの連絡を電子メールによって通知する「メール着信通知機能」などがある。
【００４５】
以下、上記した図５に示す概念を念頭に入れて、ホームページの一例について、図６から図９に基づいて説明する。
【００４６】
契約者が端末装置であるパソコンあるいは携帯電話を操作して、サービス提供者２側に設置されたサーバにアクセスすることにより、図６に示す初期画面が表示される。このとき、サーバでは端末装置を認証によって識別し、契約者以外がこのシステムにアクセスできないようにしている。図６に示す初期画面には、例えば当該マンション１の全景が表示され、図６の場合にはマンションの入口部分１０をクリックすることにより、図７に示す第２画面が表示される。
【００４７】
図７に示す第２画面は、マンションのエントランスを模したもので、管理会社や販売会社からの連絡事項を掲示する掲示板を模した掲示板表示部１１と、各種のフロントサービスを受け付ける受付フロントを模したフロント表示部１２と、エレベータを模した自己のバーチャルルームへ進むための表示部１３とが表示される。
【００４８】
ここで、掲示板表示部１１をクリックすると、不図示の掲示物が表示され、販売会社や管理会社等からの連絡事項を確認することができる。
【００４９】
また、フロント表示部１２をクリックすると、サービス提供会社や、管理会社、販売会社にインターネットを介して連絡をとることができるようになる。例えば、サービス提供会社にオペレーターが常駐し、オペレーターと電子メールを送受信できるページや、ストリーミング機能やＩＰ電話機能を用いてオペレーターと会話を行うページなどがある。このようなページによれば、契約者からサービス提供会社などに問い合わせをして、契約状況、管理状況、工事状況などをリアルタイムに確認することができる。
【００５０】
次に、居住者の専用スペースともいえるバーチャルルームへ進むための表示部１３をクリックすると、図８に示す第３画面が表示される。
【００５１】
図８に示す入室許可画面は、入室を許可するためのドアを模した入室許可表示部１４と、バーチャルルームへの入室時に点灯表示する在室表示部１５と、プライベートメールや管理会社等からのメールを受け取ることができる郵便箱を模したメール表示部１６とが表示される。在室表示部１５の点灯の有無を他の契約者が確認することにより、実際に契約者がこのマンション管理システムにアクセス中か否かを判断することができる。
【００５２】
メール表示部１６をクリックすると、個々の契約者のみが見ることのできるプライベートなメール、及び管理会社や販売会社からの通知等を見ることができる。また、入室許可表示部１４をクリックすると、図９に示す第４画面であるバーチャルルーム画面が表示される。
【００５３】
図９に示すバーチャルルーム画面には、部屋を模した画像で作成され、額縁に入った写真を模した工事進行状況表示部１８と、冷蔵庫を模したネットショップ表示部１９と、窓ガラスを模した地域情報を表示する地域情報表示部２０と、掛け時計を模した画像保管表示部２１と、テレビを模した動画などのコンテンツを表示するための表示部２２と、電話を模した税務相談など外部との連絡を行うための表示部２３と、郵便箱を模したメール着信通知を行なうメール着信通知表示部２４と、パソコンのキーボードを模したリンク集との接続を行なうための表示部２５と、ドアを模したこのバーチャルルームから退出するための退出表示部２６とが表示される。
【００５４】
前記工事進行状況表示部１８をクリックすると、購入したマンションの工事進行状況のフォト画像が表示される。
【００５５】
このフォト画像は、マンションの工事現場で、工事作業者や管理会社の社員によって、デジタルカメラやスチールカメラ、カメラ付き携帯電話を用いて撮影される。そして、工事作業者は、このフォト画像と、このフォト画像が撮影されたマンションの場所及び時間などの撮影情報とをサービス提供者２のサーバ３に送信する。フォト画像は、デジタルカメラなどデジタル処理されているものはそのまま送信されるが、スチールカメラなどではスキャナによって画像を読み取りデジタル処理した後に送信される。また、撮影情報はテキスト文書などのデジタルデータとして送信される。なお、工事現場側に送信手段がない場合は、画像や文書を郵送してサービス提供者２側でサーバ３に直接入力してもよい。
【００５６】
サーバ３では、フォト画像と撮影情報が受信されると、両者を関連付けて記憶する。そして、撮影情報に基づいて、フォト画像が撮影された住居に該当する契約者者に対応する契約者専用ホームページ５−ｎに当該フォト画像がリンクさせられる。一つの契約者専用ホームページ５−ｎに複数のフォト画像がリンクさせられる場合は、複数のフォト画像が経時的に閲覧されるようにレイアウトされる。また、フォト画像が共用部を撮影したものである場合は、すべての契約者専用ホームページ５−１から５−ｎにリンクさせられる。
【００５７】
このような工事状況進行表示部１８によれば、物件契約者が入居する予定の住居及び共用部の工事過程を確認することができる。例えば、購入予定の部屋の配管、壁の中、断熱材の配置などを工事過程の画像から確認することができる。すなわち、あとから確認することのできない内容を事前に見ることができる。また、完成した物件の部屋の外観についても画像として配信することができ、この画像によれば入居後の家具などの配置をスムーズに決めることができる。
【００５８】
また、前記ネットショップ表示部１９をクリックすると、ネットショップのサイトに接続される。そして、入居に必要な物品の購入ができる。
【００５９】
前記地域情報表示部２０をクリックすると、地域の公共情報（ごみ収集日、公共施設の休館日等）や、地域の生活情報（周辺の商店、スーパー等の広告）などが表示される。
【００６０】
前記画像保管表示部２１をクリックすると、住居内で設置されているディスポーザーや食器洗浄器などの説明書や保証書などの画像が表示される。このフォト画像は、ＢＭＰファイル、ＪＰＥＧファイル、ＰＤＦファイルなどの画像データとして保存する方法、あるいはＦＡＸやスキャナ等の画像読取手段を用いてインターネット等の通信手段を利用してサービス提供者２に依頼する方法も可能である。
【００６１】
前記動画などのホームページを見るための表示部２２をクリックすると動画などを中心としたホームページを表示することができる。
【００６２】
前記表示部２３をクリックすることによって、税務相談などができるホームページに問い合わせることができるようになる。
【００６３】
前記メール着信通知表示部２４をクリックすることによって、外部からのメール等を受信でき、毎日のコミュニケーションツールとして利用できる。
【００６４】
前記リンク集との接続を行なうための表示部２５をクリックすると、リンクを張ったホームページが表示される。
【００６５】
前記退出表示部２６をクリックすると、このバーチャルルームから退出し、このマンション管理運営システムを終了するか否かの選択を行い、終了するを選択するとこのマンション管理システムが終了する。
【００６６】
なお、上記した実施の形態では、集合住宅としてマンションを例にして説明したが、例えば一つの地域内における一戸建て住宅の集合のようなものも集合住宅に含まれる。
【００６７】
また、端末装置としては、上記した実施の形態で説明したパソコンの他に、例えばＩＰＶ６対応の家電端末等も含まれる。
【００６８】
また、上記したホームページについての説明は一例であり、ホームページにおける画像・文字の配置やアイコンの表示方法などはそれぞれの形態に応じて変更することができる。
【図面の簡単な説明】
【００６９】
【図１】本発明に係る第１の実施の形態におけるシステム全体の概略構成を示す図である。
【図２】本発明に係る第１の実施の形態における一運用例を示す図である。
【図３】本発明に係る第１の実施の形態におけるフロントページを示す図である。
【図４】本発明に係る第２の実施の形態におけるサービス提供者側のサーバ構成を示す図である。
【図５】本発明に係る第２の実施の形態におけるホームページの概念を示す図である。
【図６】本発明に係る第２の実施の形態におけるホームページの初期画面を示す図である。
【図７】本発明に係る第２の実施の形態におけるホームページの第二画面を示す図である。
【図８】本発明に係る第２の実施の形態におけるホームページの第三画面を示す図である。
【図９】本発明に係る第２の実施の形態におけるホームページの第四画面を示す図である。
【符号の説明】
【００７０】
Ｐ１  エントランスページ
Ｐ２  各部屋（戸）ページ
１  マンション
２  サービス提供者
３  サーバ
４  インターネット
５  マンション管理用ホームページ
５−１から５−ｎ  契約者専用ホームページ
１０  マンションの入口部分
１１  メールボックス表示部
１２  フロント表示部
１３  入室表示部
１４  入室許可表示部
１５  在室表示部
１６  メール表示部
１８  工事進行状況表示部
１９  ネットショップ表示部
２０  地域情報表示部
２１  画像保管表示部
２２  動画などのコンテンツをダウンロードするための表示部
２３  外部との連絡を行うための表示部
２４  メール着信通知表示部
２５  リンク集との接続を行なうための表示部
２６  退出表示部
【図１】
2005100257.tif 000003
【図２】
2005100257.tif 000004
【図３】
2005100257.tif 000005
【図４】
2005100257.tif 000006
【図５】
2005100257.tif 000007
【図６】
2005100257.tif 000008
【図７】
2005100257.tif 000009
【図８】
2005100257.tif 000010
【図９】
2005100257.tif 000011